(57)【要約】      （修正有）【課題】セルフタッピングネジの排屑溝の改良構造を提供する。【解決手段】セルフタッピングネジ１の排屑溝４の改良構造は、主に、セルフタッピングネジの排屑溝の溝底が非直角形であることにより、屑を引導する効果を向上し、又、タッピング時のねじれ力を軽減して、タッピングねじの品質を向上させる他、排屑溝は一つ以上で、充分な排屑チャネルを提供し、タッピング時に、安定した中心を得て、螺設時の安定を維持する。【選択図】図１
0003114685.tif 000002
【実用新案登録請求の範囲】
【請求項１】
セルフタッピングネジの排屑溝の改良構造であって、頭部の下方に、螺紋を有する棒体を設け、前記棒体の端頭は、鋭利な螺設端で、且つ、前記螺設端に、排屑溝を開設し、その特徴は、前記螺設段の排屑溝の溝底は、非直角状であることを特徴とするセルフタッピングネジの排屑溝の改良構造。
【請求項２】
セルフタッピングネジの排屑溝の改良構造であって、頭部の下方に、螺紋を有する棒体を設け、前記棒体の端頭は、鋭利な螺設端で、且つ、前記螺設端に、排屑溝を開設し、その特徴は、前記螺設段の排屑溝は、二つ以上であることを特徴とするセルフタッピングネジの排屑溝の改良構造。
【考案の詳細な説明】
【技術分野】
【０００１】
本考案は、セルフタッピングネジの排屑溝の改良構造に関するものであって、特に、タッピング時に、安定した中心を得ることができると共に、好ましい屑の引導効果を有し、又、タッピング時のねじれ力を軽減して、タッピングネジの品質を向上させるセルフタッピングネジの排屑溝の改良構造に関するものである。
【背景技術】
【０００２】
工業社会において、競争力を得るために、製品の品質を維持する以外に、新製品の研究開発が不可欠である。スクリューは、小さい素子ながらも、それぞれの機械を組み合わせる重要な素子である。一般に、スクリューを使用する時、対応する螺孔を設けて穿設し、螺固作業を完成させる。施工現場において、ドリルで穴を開けるが、その工程は不便で、施工も面倒である。このような状況で、螺固するのが木板や薄い鋼板である時、セルフタッピングネジを使用する。公知のセルフタッピングネジ１は、図１で示されるように、頭部１１下方に、螺紋を有する棒体１２を延伸し、棒体１２の端頭は、鋭利な螺設端１３である。螺設端１３に、排屑溝１４を設置し、この排屑溝１４は、タッピング、及び、排屑の効能を有する。図２を参照すると、セルフタッピングネジ１が、螺設端１３により、螺固物２に施入された後、棒体１２の螺入に従って、屑２１は、排屑溝１４から、螺固物２の外部に排出されて、螺設の動作を継続する。前述の排屑溝１４の構造が、業者により使用されており、排屑溝１４の設置により、排屑の効果は達成されるが、木板類の螺固物に深く螺設したい場合、タッピング時に生成される屑２１が多いので、一つの排屑溝１４だけでは不足で、積屑して、タッピングが円滑に行われない。また、排屑溝１４が一つしかない時、単一側辺だけで、タッピングするので、一辺が力を受けて、タッピング時の中心がシフトする。施力が一旦、不当に行われれば、頭部１１が断裂すると同時に、受ける力が不均等で、螺入時に、セルフタッピングネジ１が歪斜し、棒体１２が、全て、螺固物２内に螺入されても、セルフタッピングネジ１が歪斜する状態下で、螺固力の低下が生じる。この他、図３で示されるように、公知の排屑溝１４の溝底１４１は直角状であるので、排屑時に、排屑２１が、溝底１４１の直角により積屑して、タッピング速度が減速し、タッピングのネジの品質が低下して、螺固力に影響する。
【考案の開示】
【考案が解決しようとする課題】
【０００３】
本考案は、セルフタッピングネジの排屑溝の改良構造を提供し、セルフタッピングネジは、排屑溝を有し、この排屑溝の溝底が非直角形であることにより、屑を引導する効果を向上し、タッピング時のねじれ力を軽減することを目的とする。
【０００４】
本考案は、セルフタッピングネジの排屑溝の改良構造を提供し、タッピングネジの螺設段に、二つ以上の排屑溝を開設することにより、シフトしない安定した中心を得ると同時に、充分な排屑チャネルを有し、螺設の円滑性を達成することをもう一つの目的とする。
【０００５】
本考案は、セルフタッピングネジの排屑溝の改良構造を提供し、タッピングネジの螺設段に、二つ以上の排屑溝を開設することにより、中心がシフトしない下、タッピングネジが螺固物に螺入した後、垂直状態を呈し、高い螺固力を達成することをもう一つの目的とする。  
【課題を解決するための手段】
【０００６】
本考案のセルフタッピングネジの排屑溝の改良構造は、主に、セルフタッピングネジの排屑溝の溝底が非直角形であることにより、屑を引導する効果を向上し、又、タッピング時のねじれ力を軽減して、タッピングねじの品質を向上させる他、排屑溝は一つ以上で、充分な排屑チャネルを提供し、タッピング時に、安定した中心を得て、螺設時の安定を維持する。
【考案の効果】
【０００７】
本考案のセルフタッピングネジの排屑溝の改良構造により、屑を引導する効果を向上し、タッピング時のねじれ力を軽減し、螺設の円滑性を達成し、高い螺固力を達成する、という効果が得られる。
【考案を実施するための最良の形態】
【０００８】
図４は、本考案のセルフタッピングネジを示す図であり、セルフタッピングネジは、頭部３の下方に、螺紋を有する棒体４を延伸し、棒体４の端頭は、鋭利な螺設端５である。螺設端５に、排屑溝６を設置し、この排屑溝６は、タッピング、及び、排屑の効能を有する。図５、及び、図６を参照すると、
排屑溝６の溝底６１は、円弧等の非直角状である。この他、図７を参照すると、本考案のセルフタッピングネジは、二つ以上の排屑溝６、７を設置し、図中では、二つの排屑溝を例として説明する。
【０００９】
図８を参照すると、螺設段５は、二つの排屑溝６、７を開設するので、螺固物８に対しタッピングする時、相対して、多くの排屑チャネルを有し、螺設端５に、螺固物８を螺入した後、タッピングにより生じる屑８１は、排屑チャネルを増加した下、屑８１が比較的多い木板でも、充分なチャネルが屑を排出することができ、積屑の状況が生じにくく、螺設の動作も、積屑により阻害されることがなく、更に容易になる。また、二つの排屑溝６、７を設置するので、タッピング時に、二つの排屑溝６、７により同時に実行でき、中心がシフトすることが生じず、タッピングが更に安定して、ネジが歪斜することがない。タッピングネジが垂直に螺入される下、自然に螺固力を向上することができると同時に、承受するねじれ力も軽減できるので、ネジが力を受けて断裂するのを回避する。
【００１０】
図９、及び、図１０を参照すると、排屑溝６の溝６１が、非直角形であるので、屑の引導効果がある。屑８１が円滑に排出され、ねじれ力が軽減される下、タッピング速度は加速し、螺固力も向上する。
【００１１】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１２】
【図１】公知のセルフタッピングネジの立体図である。
【図２】公知のセルフタッピングネジ螺設を示した説明図である。
【図３】公知のセルフタッピングネジの排屑溝を示した説明図である。
【図４】本考案の好ましい実施例の立体図である。
【図５】図４の排屑溝の断面図である。
【図６】本考案のもう一つの排屑溝の断面図である。
【図７】本考案のもう一つの好ましい実施例の立体図である。
【図８】本考案の螺設を示す図である。
【図９】図５の排屑溝の導屑を示した説明図である。
【図１０】図６の排屑溝の導屑を示した説明図である。
【符号の説明】
【００１３】
１…セルフタッピングネジ
１１…頭部
１２…棒体
１３…螺設端
１４…排屑溝
２…螺固物
２１…屑
３…頭部
４…棒体
５…螺設段
６…排屑溝
６１…溝底
７…排屑溝
８…螺固物
８１…屑    
【図１】
0003114685.tif 000003
【図２】
0003114685.tif 000004
【図３】
0003114685.tif 000005
【図４】
0003114685.tif 000006
【図５】
0003114685.tif 000007
【図６】
0003114685.tif 000008
【図７】
0003114685.tif 000009
【図８】
0003114685.tif 000010
【図９】
0003114685.tif 000011
【図１０】
0003114685.tif 000012